(57)【要約】【課題】植物鉢を移動する際、植物鉢が変形する虞がなく、植え替え等の手入れが容易であり、さらに組み立ても容易である花瓶としても使用できる植物鉢を提供する。【解決手段】この植物鉢は、鉢本体１を複数の縦方向の分割線１３で切断することにより形成した複数個の分割片１４、１５と、複数個の分割片の分割線同士を突合せることによって鉢本体を形成したときに、隣り合う分割片同士を固定する固定具とを有する。固定具は、分割片のそれぞれの分割線に沿って複数設けた掛止部４１ａ、４１ｂ、４１ｃ、４２ａ、４２ｂ、４２ｃと、隣り合う分割片の掛止部と係合し、分割線１３を跨いで隣り合う分割片同士を固定する掛止具４３ａ、４３ｂ、４３ｃとを備える。【選択図】図１
2011024463.tif 000002
【特許請求の範囲】
【請求項１】
鉢本体を複数の縦方向の分割線で切断することにより形成した複数個の分割片と、
前記複数個の分割片の分割線同士を突合せることによって前記鉢本体を形成したときに、隣り合う分割片同士を固定する固定具と、を有し、
前記固定具は、前記分割片のそれぞれの分割線に沿って１箇所または複数箇所設けた掛止部と、隣り合う分割片の掛止部と係合し、前記分割線を跨いで隣り合う分割片同士を固定する掛止具と、を備え、
前記掛止具を前記掛止部に係合することによって前記分割片が横方向に分離されないようにすることを特徴とする植物鉢。
【請求項２】
前記掛止部は、少なくとも前記分割線の中心から縦方向に離れた位置に１箇所または複数箇所設けたことを特徴とする請求項１に記載の植物鉢。
【請求項３】
前記掛止具は、動物、花、キャラクタの形状であるか、動物、花、キャラクタの模型が取り付けられることを特徴とする請求項１に記載の植物鉢。
【請求項４】
前記隣り合う一方の分割片は前記隣り合う他方の分割片の付き合せ方向に突出する少なくとも１つの凸部が形成され、前記隣り合う他方の分割片は前記隣り合う一方の凸部と嵌り合う少なくとも１つの凹部が形成され、
前記複数個の分割片の分割線同士を突合せることによって前記鉢本体を形成したときに、一方の分割片の凸部が他方の分割片の凹部と嵌り合い、各分割片が分割線方向に沿って移動することを防止できるようにしたことを特徴とする請求項１から３のいずれかに記載の植物鉢。
【請求項５】
前記隣り合う一方の分割片の分割線に沿って、隣り合う分割片同士が付き合わされることになる一方の分割片の付き合せ面から段差を持つ相互補完形状のＩ字形状の合わせ面が他方の分割片の付き合せ方向に伸び、前記隣り合う他方の分割片の分割線に沿って、隣り合う分割片同士が付き合わされることになる他方の分割片の付き合せ面に前記一方の分割片のＩ字形状の合わせ面に段差による突合せ接続がされるＩ字形状の合わせ面が形成され、一方の分割片のＩ字形状の合わせ面と他方の分割片のＩ字状の合わせ面とが段差により突合せ接続されることによって前記鉢本体の密封性を高めるようにしたことを特徴とする請求項１から４のいずれかに記載の植物鉢。
【請求項６】
前記隣り合う両方の分割片の分割線に沿って、隣り合う分割片同士が付き合わされることになる両方の分割片の付き合せ面の半面側から凸形状の合わせ面が前記分割片の厚み方向に互い違いにそれぞれの分割片の付き合せ方向に伸び、両方の分割片の凸形状の合わせ面によって前記鉢本体の密封性を高めるようにしたことを特徴とする請求項１から５のいずれかに記載の植物鉢。
【請求項７】
前記請求項１から６のいずれかに記載の植物鉢の鉢本体の底部には、前記鉢本体の底部の周形状に合致する形状の受け皿が押し込まれていることを特徴とする植物鉢。
【請求項８】
前記請求項１から７のいずれかの鉢本体の内部に水槽が収容されていることを特徴とする植物鉢。
【請求項９】
前記水槽は、深さ方向に伸びる複数の仕切によって間仕切りされていることを特徴とする請求項８に記載の植物鉢。
【請求項１０】
前記間仕切りを構成する複数の仕切りは、水槽の底部に達する途中で切れていることを特徴とする請求項９に記載の植物鉢。
【発明の詳細な説明】
【技術分野】
【０００１】
本発明は花の器、植木鉢に使用できる植物鉢に係り、特に分割可能で組立も解体も容易な植物鉢に関する。
【背景技術】
【０００２】
観賞用の植物は、一定期間ごとに植え替え等の手入れをする必要がある。
【０００３】
既存の植物鉢、たとえば、直径３０ｃｍ程度の中型植木鉢で植物を植え替える場合、植物の種類によっては根が植木鉢の内壁面にへばり着くことがある。この場合、植物を植木鉢から引き抜くのに苦労するばかりか、引き抜くときにしばしば根や花や葉の観賞部分を痛めることがある。特に直径５０ｃｍ以上の大型植木鉢の場合、植物の根が植木鉢の内壁面にへばり着かなくても、植木鉢から植物を取り出して手入れをするのに、その重さから苦痛を伴うのが普通である。
【０００４】
そこで、鉢本体を中心から縦に二分割した分割片を合体させて１個の植木鉢を構成し、この植木鉢に締付枠を嵌め合わせて一体的に組み立てる、下記特許文献１に記載されているような植木鉢が知られている。
【先行技術文献】
【特許文献】
【０００５】
【特許文献１】特開２００３−６１４７４号公報（図８）
【発明の概要】
【発明が解決しようとする課題】
【０００６】
しかし、従来の植木鉢は、単純な縦の直線により鉢本体を左右に二分割した構造である。このため、次のような課題がある。
【０００７】
すなわち、組み立てられた植木鉢に植物の根部と土壌を投入し、植木鉢を移動する際、合体させた分割片が重力で上下に滑って植木鉢が変形する虞がある。作業者は、移動する際、植木鉢が変形しないように取り扱いに注意を払う必要がある。また、分割片を合体させて１個の植木鉢に組み立てる際においても、分割片同士が上下に滑りやすく、組み立て難い。
【０００８】
また、従来の植木鉢は、花の器、すなわち花瓶として使用したくとも、二分割した構造であるために、分割面の水密性に問題が生じ、花瓶としては使用することができない。
【０００９】
本発明は、上述した従来の植木鉢の不具合を解消するためになされたもので、植物鉢を移動する際、植物鉢が変形する虞がなく、植え替え等の手入れが容易であり、さらに組み立ても解体も容易であり、花瓶としても使用できる植物鉢を提供することを目的とする。
【課題を解決するための手段】
【００１０】
上記目的を達成するために、本発明の植物鉢は、鉢本体を複数の縦方向の分割線で切断することにより形成した複数個の分割片と、複数個の分割片の分割線同士を突合せることによって鉢本体を形成したときに、隣り合う分割片同士を固定する固定具とを有する。
【００１１】
固定具は、分割片のそれぞれの分割線に沿って１箇所または複数箇所設けた掛止部と、隣り合う分割片の掛止部と係合し、分割線を跨いで隣り合う分割片同士を固定する掛止具とを備える。掛止具を掛止部に係合することによってすべての分割片が横方向に分離されないようになり、鉢本体が一体的となる。
【発明の効果】
【００１２】
本発明の植物鉢は、複数に分割した分割片を組み合わせて鉢本体を形成したときに、固定具を構成する掛止具を掛止部に係合することによって分割片同士を容易かつ確実に固定することができ、一体的となった鉢本体を得ることができる。
【００１３】
掛止具は植物鉢を立てたままで掛止部に着脱できる。このため、植物鉢の組み立ても解体も容易にできる。
【図面の簡単な説明】
【００１４】
【図１】本発明の第１実施形態に係る植物鉢を示す展開斜視図である。
【図２】本発明の第１実施形態に係る植物鉢の一方の分割片の正面図である。
【図３】図１に示した分割片同士の結合構造を示す図である。
【図４】図２に示した分割片のＡ−Ａ断面図である。
【図５Ａ】は、隣接する分割片同士の付き合せ面に形成される合わせ面の構造の一例を示す図である。
【図５Ｂ】は、隣接する分割片同士の付き合せ面に形成される合わせ面の構造の一例を示す図である。
【図６Ａ】本発明の第２実施形態に係る植物鉢の一方の分割片の正面図である。
【図６Ｂ】本発明の第２実施形態に係る植物鉢の他方の分割片の正面図である。
【図７】本発明の第２実施形態に係る植物鉢の上側掛止具および下側掛止具の構造の一例を示す図である。
【図８】本発明の第３実施形態に係る植物鉢に収容される水槽の上面図である。
【図９】本発明の第３実施形態に係る植物鉢の断面図である。
【発明を実施するための形態】
【００１５】
以下、図面を参照して、本発明に係る実施形態を、第１実施形態から第３実施形態に分けて説明する。なお、図面の説明において同一の部材には同一の符号を付し、重複する説明を省略する。また、図面の寸法比率は、説明の都合上誇張されており、実際の比率とは異なる場合がある。
［第１実施形態］
図１は本発明の第１実施形態に係る植物鉢を示す展開斜視図である。図２は本発明の第１実施形態に係る植物鉢の一方の分割片の正面図である。図３は図１に示した分割片同士の結合構造を示す図である。図４は図２に示した分割片のＡ−Ａ断面図である。
【００１６】
本実施形態に係る植物鉢は、鉢本体を複数の縦方向の分割線で切断することにより形成した複数個の分割片と、複数個の分割片の分割線同士を突合せることによって鉢本体を形成したときに、隣り合う分割片同士を固定する固定具と、を有し、固定具は、分割片のそれぞれの分割線に沿って複数設けた掛止部と、隣り合う分割片の掛止部と係合し、前記分割線を跨いで隣り合う分割片同士を固定する掛止具と、を備え、掛止具を掛止部に係合することによって分割片が横方向に分離されないようにするものである。
【００１７】
図１に示す植物鉢は強化ガラス製であるが、セラミックや合成樹脂製とすることもできる。
【００１８】
鉢本体１は、周方向に沿った複数位置で縦方向の分割線１３により複数個の分割片に分割されている。ここでは径の中心で第１の分割片１４と第２の分割片１５の２つに分割されている。従って各分割片１４、１５は図２に示すように半円筒形状をしている。
【００１９】
鉢本体１は、図１および図２に示すように、円筒状の胴部４と、その内部下端に形成した排水孔５ａ付きの底板部５と、胴部４の外周の上端すなわち鉢本体１の外周上端に外周面から半径方向外側に張り出すように形成した移動用の取手部分６とからなる。
【００２０】
取手部分６は、外向フランジ部７と、その半径方向外側縁から起立する起立壁部８からなり、外向フランジ部７と起立壁部８の断面は、Ｌ字状をしている。
【００２１】
起立壁部８には、図１および図２に示すように、２箇所に固定具４０ａ、４０ｂが形成されている。固定具４０ａ、４０ｂは、分割片１４、１５の分割線１３同士を突合せることによって鉢本体１を形成したときに、隣り合う分割片１４、１５同士を固定する。
【００２２】
固定具４０ａ、４０ｂは、分割片１４と分割片１５が接合される分割線１３を中心に分割線１３を挟む位置に分割線１３を跨ぐように設けられる。固定具４０ａ、４０ｂは、分割線１３が伸延する方向に一定の深さでかつ起立壁部８の周方向に一定の幅で形成された切欠状の掛止部４１ａ、４２ａ、４１ｂ、４２ｂを有する。
【００２３】
掛止具４３ａは、弾性を有するたとえば樹脂や金属を材料として形成され、固定具４０ａの掛止部４１ａ、４２ａに係合する突起を有し、掛止具４３ｂは、同じく樹脂を材料として形成され、固定具４０ｂの掛止部４１ｂ、４２ｂに係合する突起を有している。
【００２４】
固定具４０ａと４０ｂは、掛止具４３ａ、４３ｂを分割線１３の伸延方向から掛止部４１ａ、４２ａおよび掛止部４１ｂ、４２ｂにそれぞれ係合することによって、鉢本体１の上部を堅固に固定し、分割片１４、１５が横方向に分離されないようにする。
【００２５】
なお、本実施形態では、掛止具４３ａ、４３ｂを起立壁部８の分割線１３方向上側から掛止部４１ａ、４２ａ、４１ｂ、４２ｂに差し込んで分割片１４と分割片１５を固定する形態を例示した。しかし、本発明では、掛止部４１ａ、４２ａ、４１ｂ、４２ｂを起立壁部８の側面に形成し、掛止具４３ａ、４３ｂを起立壁部８の横側から掛止部４１ａ、４２ａ、４１ｂ、４２ｂに差し込んで分割片１４と分割片１５を固定するようにしても良い。さらに、掛止具４３ａ、４３ｂをいずれの方向から差し込むようにするかは、分割片の形状や固定具４０ａ、４０ｂによる分割片１４と分割片１５の固定強度に依存させるようにしてもよい。
【００２６】
このように、掛止具４３ａ、４３ｂを起立壁部８の上側から差し込んで分割片１４と分割片１５の固定ができるようにすれば、鉢本体１を横に倒すことなく立てたままで容易に組み立ておよび分解できる。
【００２７】
次に、胴部４の下端の外周面１０において分割線１３を挟む位置に固定具４０ｃ、４０ｄ（図示せず）が、それぞれ分割線１３を中心に設けられている。固定具４０ｃは、分割線１３に沿う方向に一定の幅で形成された、掛止部４１ｃ、４２ｃ、図面上は裏側に存在する掛止部４１ｄ、４２ｄを有する。掛止部４１ｃ、４２ｃ、４１ｄ、４２ｄは胴部４の内部方向に向けて一定の長さの溝が形成されている。
【００２８】
掛止具４３ｃは、掛止具４３ａ、４３ｂと同じく樹脂を材料として形成され、固定具４０ｃの掛止部４１ｃ、４２ｃに係合する突起を有している。
【００２９】
固定具４０ｃには、掛止具４３ｃ、４３ｄ（図示せず）が分割線１３を挟むように胴部４の外側から内側に向けて差し込まれる。これによって、鉢本体１の下部を堅固に固定し、分割片１４、１５が横方向に分離されないようにする。
【００３０】
なお、本実施形態では、掛止具４３ｃ、４３ｄを胴部４の横側から差し込んで分割片１４と分割片１５を固定する形態を例示した。このように、掛止具４３ｃ、４３ｄを胴部４の横側から差し込んで分割片１４と分割片１５を固定するようにすれば、分割片１４と分割片１５の組み立ておよび分解が鉢本体１を横に倒すことなく立てたままで容易にできる。また、分割片１４と分割片１５との分割線１３に沿う縦方向のズレを防ぐことができる。
【００３１】
なお、本実施形態では、掛止部を分割片１４と分割片１５の上部と下部に２箇所ずつ設けた場合を例示したが、掛止部は、少なくとも分割線１３の中心から縦方向に離れた位置に１箇所または複数箇所以上設けるようにしても良い。
【００３２】
図１から図３に示すように、胴部４の下端に形成した底板部５の下側には、２つの分割片１４、１５を組み合わせて鉢本体１を形成したときに、分割片１４、１５の上下方向のズレを防止するために相互に嵌合する凸部４４と凹部４５が形成されている。
【００３３】
すなわち、図３に示すように、隣り合う一方の分割片１４は隣り合う他方の分割片１５の付き合せ方向に突出する少なくとも１つの凸部４４が形成され、隣り合う他方の分割片１５は隣り合う一方の凸部４４と嵌り合う少なくとも１つの凹部４５が形成される。分割片１４、１５の分割線１３同士を突合せることによって鉢本体１を形成したときに、一方の分割片１４の凸部４４が他方の分割片１５の凹部４５と嵌り合い、正しく上下の位置決めがなされ、一体的な鉢本体１に組み立てられる。また、各分割片１４、１５が分割線１３方向に沿って上下に移動することを防止する。分割片同士が相互補完形状の凹凸の嵌合部で嵌り合っていると、重力で上下に滑って鉢が変形したりずれ落ちたりすることがない。このため、鉢本体１の形が崩れる虞がなく、鉢の移動や植物の手入れ時の苦労が激減する。
【００３４】
凹部４５と凸部４４が胴部４の付き合せ面１６を基準に形成されている。本実施形態では、凹部４５と凸部４４の数を胴部４の下側１箇所としたが、凹部４５と凸部４４の数はこれに限られず１箇所または複数箇所に設けるようにしても良い。複数箇所に設けた方が、分割片１４、１５の形崩れが少なくできるからである。
【００３５】
上記構造の鉢本体１は、周方向に沿った複数位置で縦方向の分割線１３により複数個の分割片に分割されている。本実施形態では径の中心で第１の分割片１４と第２の分割片１５の２つに分割されている。従って各分割片１４、１５は図２に示すように半円筒形状をしている。そして、隣り合う分割片１４、１５の付き合せ面１６には、図５Ａまたは図５Ｂに示すように互いに嵌り合う相互補完形状の嵌合部１７が形成されている。
【００３６】
図５Ａおよび図５Ｂは分割片１４、１５の付き合せ面１６を分割線１３に沿って上側から見た図である。ここで相互補完形状の嵌合部１７とは、互いに嵌り合う関係にある接続構造をいう。
【００３７】
すなわち、図５Ａの場合、隣り合う両方の分割片１４、１５の分割線１３に沿って、隣り合う分割片１４、１５同士が付き合わされることになる両方の分割片の付き合せ面１６の半面側から段差を持つ相互補完形状のＩ字形状の合わせ面１８ａ、１８ｂが分割片１４、１５の厚み方向に互い違いにそれぞれの分割片１４、１５の付き合せ方向に伸び、両方の分割片１４、１５のＩ字形状の合わせ面１８ａ、１８ｂによって前記鉢本体の密封性を高めるようにしている。
【００３８】
また、図５Ｂの場合、隣り合う一方の分割片１４の分割線１３に沿って、隣り合う分割片１４、１５同士が付き合わされることになる一方の分割片１３の付き合せ面１６から凸形状の合わせ面１８ｃが他方の分割片１５の付き合せ方向に伸びる。また、隣り合う他方の分割片１５の分割線１３に沿って、隣り合う分割片同士１４、１５が付き合わされることになる他方の分割片１５の付き合せ面１６に一方の分割片１４の凸形状の合わせ面１８ｃに勘合する凹形状の合わせ面１８ｄが形成され、一方の分割片１４の凸形状の合わせ面１８ｃと他方の分割片１５の凹形状の合わせ面１８ｄによって鉢本体１の密封性を高めるようにしている。
【００３９】
仮に、鉢本体１を二分割した各分割片１４、１５の付き合せ面１６に嵌合部１７が形成されていないとすると、次のような不都合が生じる。すなわち、組み立てられた植物鉢に植物の根と土壌を投入し、植物鉢を移動した場合、組み合わせた分割片１４、１５の側面が滑り、植物鉢が変形して土壌が漏洩し移動が困難になる。
【００４０】
しかし、第１実施形態では、分割片１４、１５の付き合せ面１６に互いに嵌りあう補間形状を持つ凹凸の嵌合部１７を設け、相互に嵌め合わせているため、分割片１４、１５による強固な鉢本体１が形成される。このため、鉢に重量物が投入されても、鉢本体１を移動しても上下方向には変形しない。
【００４１】
なお、図５Ａおよび図５Ｂに示した突合せ接続部１８ａ〜１８ｄの形状は一例であって、鉢本体１内の土壌や水分が容易に鉢表面に漏出できないような構造であれば、これらの構造以外に種々の構造を採用することができる。
【００４２】
本実施形態の場合、図１および図２に示すように、分割片１４の付き合せ面１６には、その辺方向（縦方向）の下部に長方形に突出する凸部４４が形成され、分割片１５の付き合せ面１６の凸部４４に対向する位置に凹部４５が形成された形状となっている。凸部４４の形状は長方形に限られず三角形など他の形状でも良い。もちろん凹部４５の形状は対応する凸部４４の形状と整合するものでなければならない。さらに、凸部４４が複数設けられている場合、すべての凸部４４の形状を異なる形状としても良い。
【００４３】
また、分割片１４と分割片１５とは図３に示すように掛止具４３ｂ、４３ｃによって胴部４の上部と下部とが堅固に固定される。しかしながら、分割片１４と分割片１５の分解をするときには、掛止具４３ａ、４３ｂ、４３ｃ、４３ｄを指で取り外しさえすれば良いので、植物鉢を立てたままで容易に分解が可能である。なお、掛止具４３ａ、４３ｂ、４３ｃ、４３ｄに取り外しが容易なように、爪を引っ掛ける部分を設けておけば、さらに分解が容易になる。
【００４４】
このように、分割片１４と分割片１５の付き合せ面１６を図１、図５Ａまたは図５Ｂに示すようにして突合せ、凹部４５に凸部４４を勘合させ、掛止具４３ａ、４３ｂ、４３ｃ、４３ｄを掛止部４０ａ、４０ｂ、４０ｃ、４０ｄに差し込んで、胴部４の上部の固定部４０ａと４０ｂを固定することによって、分割片１４と分割片１５を一体化させて、植物鉢に組み立てることができる。逆に掛止具４３ａ、４３ｂ、４３ｃ、４３ｄを掛止部４０ａ、４０ｂ、４０ｃ、４０ｄから取り外しさえすれば、植物鉢を簡単に分割片１４と分割片１５に分解することができる。
【００４５】
なお、第１実施形態では、鉢本体１を円筒形として説明したが、多角形断面など、任意の形状の断面の筒状に形成することができる。また、その鉢本体１の外周面には、様々な印刷を施すことができる。例えば、木目模様や大理石模様、キャラクタ模様などの印刷を施すことができ、これにより観賞用の植物園芸をより一層楽しむことができる。また、植物が植えられていない状態であっても、鉢本体１を置物などのインテリアとして楽しむこともできる。
【００４６】
そして、植物鉢の鉢本体１の底部に、鉢本体１の底部の周形状に合致する形状の受け皿（水受け）が取り付けられても良い。
【００４７】
また、第１実施形態では、鉢本体１を構成する分割片の数が２つである場合を例にして説明したが、３個またはそれ以上の複数個の分割片で鉢本体１を構成することもできる。
【００４８】
また鉢本体１の胴部４は、上端部と下端部が同一径の筒型であるとして示したが、上端部の径を下端部の径より大きくした形状またはその逆の形状の筒型や、樽型、箱型、楕円筒型、皿型、椀型、逆円錐型、角型などにすることもできる。
【００４９】
さらに、第１実施形態では植物鉢の全体を合成樹脂製としたが、鉢本体１については、素焼きや陶器などの焼き物、または強化ガラスにより構成することもできる。また、上側環状固定具２や下側環状固定具３については、嵌着部に可撓性を付与できる材料であれば良く、合成樹脂の他、金属その他の材料で構成することができる。
【００５０】
また、相互補完形状の凹凸の嵌合部１７は長方形の凹部と凸部として形成したが、三角形状または鋸歯状の凹部と凸部や、台形の凹部と凸部や、波状の凹部と凸部など、差込式に嵌合しあう他の形状に形成することができる。また、この凸部と凹部は、第１実施形態では１組設けているだけであるが、２組以上の凹部と凸部を設けることもできる。
【００５１】
本実施形態の植物鉢は、従来の植木鉢に比較して次のような特徴を有する。
【００５２】
本実施形態の植物鉢は、従来の植木鉢に比較すれば、組み立て、分解が簡単にできるようになる。長年にわたって植物が植えられていた植木鉢を分解することは思った以上に大変な作業になる。植木鉢内で植物の根が張ると、植木鉢内の圧力は予想以上の力になるからである。
【００５３】
本実施形態では、従来の植木鉢のこのような不具合を解消するために、植物鉢に植えられていた植物が大きく成長した場合であっても、鉢本体１の分解を容易にすることができるように上記のような工夫を凝らしている。
［第２実施形態］
第２実施形態も、第１実施形態と同様に分割片を組み立てて植物鉢を形成する。第２実施形態では、植物鉢の形状が第１実施形態のように円筒形ではなく瓢箪形となっていることに大きな違いがある。
【００５４】
図６Ａは第２実施形態に係る植物鉢の一方の分割片の正面図であり、図６Ｂは第２実施形態に係る植物鉢の分割片の正面図であり、図７は、第２実施形態に係る植物鉢の上側および下側固定具である。
【００５５】
図６Ａおよび図６Ｂに示すように、２分割された一方の分割片５２と他方の分割片５４の形状は瓢箪形の花瓶を縦割りしたような形状である。第２実施形態の植物鉢も、第１実施形態の植物鉢と同様に、植物鉢の上部と下部に固定具が設けられ、固定具は、掛止部と掛止具とで形成される。固定具の基本的な構成は、第１実施形態に記載したものと同一であるので、固定具についての具体的な説明は省略する。
【００５６】
第２実施形態の植物鉢は、強化ガラスで形成されているが、セラミックスや合成樹脂で形成しても良い。したがって、掛止部に差し込まれる掛止具は、弾性を有する樹脂や金属またはゴムで形成されている。
【００５７】
本実施形態でも、固定具を設ける場所は、分割片に沿って１箇所または複数箇所設けることが望ましい。分割片同士の連結が密着して行われることになり、分割片同士の付き合せ面のシール性が向上するからである。
【００５８】
図６Ａに示した分割片５２の付き合せ面５３は、図５Ｂのように中央部のみが突出した凸形状を有しており、図６Ｂに示した分割片５２と合体される分割片５４の付き合せ面５５は、図６Ｂのように中央部のみが窪んだ凹形状になっている。分割片５２の付き合せ面５３の突出した部分と分割片５４の付き合せ面５５の窪んだ部分は、分割片５２と分割片５４の付き合せ面の形状に沿って互いに嵌り合い、一体化された鉢本体が形成される。
【００５９】
本実施形態の植物鉢は、付き合せ面の形状が瓢箪形になっているので、分割片５２と分割片５４の突合せ面５３と５５を係合させるだけで、形状が固定する。そして、両分割片５２と５４を固定具で連結させると、上下方向にも左右方向にも突合せ面５３と５５が外れることがない。また、突合せ面５３と５５は凹凸部が互いに嵌め合わさった構造になっているので、内部の土砂や水分が漏洩することがない。
【００６０】
第１実施形態の場合、円筒状の植物鉢であったので、分割片１４、１５が上下方向にズレないように、付き合せ面から凸部４４および凹部４５を形成しておく必要があった。本実施形態の場合、突合せ面の形状が弧を描くような形状であるので、この形状自体が凸部４４および凹部４５の上下方向のズレ防止機能を有する。
【００６１】
第２実施形態の植物鉢は、図７に示すように、掛止部５６ａ、５６ｂ、５６ｃ、５６ｄが植物鉢の上部と下部に植物鉢の横方向から開口され、その掛止部５６ａ、５６ｂおよび５６ｃ、５６ｄに掛止具５７ａ、５７ｂが取り付けられる。なお、掛止部は鉢本体の上部と下部だけではなく、さらに鉢本体の中央部分に設けてもよい。
【００６２】
掛止具５７ａ、５７ｂは、掛止部５６ａ、５６ｂおよび５６ｃ、５６ｄにそれぞれ係合して分割片５２と分割片５４を付き合せ面側に引き寄せるようにして鉢本体上部と下部でしっかりと固定する。
【００６３】
図７に示すように、掛止具５７ａ、５７ｂに装飾を施しておくと、外部からは掛止具とは思われないために、体裁がよく装飾性に優れた植物鉢を提供することができる。たとえば、掛止具５７ａ、５７ｂは、動物、花、キャラクタの形状であるか、動物、花、キャラクタの模型が取りつけられる。
【００６４】
本実施形態の鉢本体の底部に、鉢本体の底部の周形状に合致する形状の受け皿７０を取り付けると、植物鉢内で残留した水の排水を、植物鉢を載せる載置台を汚すことなくできるようになる。また、鉢本体の底部を受け皿７０の内周部分で固定できるようになる。
［第３実施形態］
第３実施形態は、第１および第２実施形態の植物鉢を花瓶としても使えるようにしたものである。
【００６５】
図８は第３実施形態に係る植物鉢に収容される水槽の上面図である。図９は第３実施形態に係る植物鉢の断面図である。
【００６６】
第１および第２実施形態の植物鉢を花瓶として使えるようにするために、本実施形態では鉢本体の内部に水槽６０を収容する。水槽６０の高さは、鉢本体１の底面に水槽６０を載置したときに、水槽６０の上面の開口部が鉢本体１の開口面から若干突き出す程度の高さである。生け花をしやすいからである。
【００６７】
水槽６０の形状は円筒状または角筒状であることが、生け花の作業性から好ましい。しかし、水槽６０の形状はこれらの形状に限られるものではない。水槽６０の大きさは植物鉢に収容できる大きさでなければならないことはもちろんである。しかし、水槽６０の外周の少なくとも一部が鉢本体１の内周に接触できる程度の大きさを有していることが好ましい。水槽６０が鉢本体１内で安定して収容できるようにするためである。
【００６８】
水槽６０は、図８および図９に示すように深さ方向に伸びる複数の仕切によって間仕切りされている。生け花の安定性を良くし、生け花のボリュームを大きく見せることができるようにするためである。このため、本実施形態では、図８に示すように、同心円状の仕切６５ａ、６５ｂ、６５ｃとこれらの仕切りとの間を掛け渡す仕切り、たとえば、６５ｄ、６５ｅ、６５ｆを水槽６０に設けている。
【００６９】
これらの仕切りは、水槽６０の底部に向かって伸びているが、水槽６０の底部に達する途中で途切れている。このように仕切りを底部まで延ばさないことによって、水槽６０の底部で水が循環し、各間仕切りに存在する水の高さが花の種類による水の吸い上げ量の相違に関わらず一定にすることができる。
【００７０】
なお、間仕切りの仕方は、図８のような形態に関わらず、生け花の種類などに応じて適宜変更しても良い。
【００７１】
本実施形態の鉢本体の底部に、鉢本体の底部の周形状に合致する形状の受け皿７０を取り付けると、水槽６０からこぼれた水の排水を、植物鉢を載せる載置台を汚すことなくできるようになる。また、鉢本体の底部を受け皿７０の内周部分で固定できるようになる。
【００７２】
なお、第１実施形態から第３実施形態の植物鉢は、その表面に動物や人物、風景、キャラクタの写真を曲面印刷の技法を適用してプリントしたり、絵を描いたりすることによって、実用的な植木鉢だけでなく、インテリアとしての植物鉢としても使用することができる。
【００７３】
また、第１実施形態から第３実施形態の植物鉢の内部に水槽を置くことによって花瓶としても使用することができる。
【００７４】
実施形態１から実施形態３では、分割片の材質を強化ガラス、セラミックや合成樹脂としたものを例示したが、植物鉢の大きさに応じて、陶器など他の材料で構成するようにしても良い。また、分割片を強固に連結する掛止具は、樹脂に限られず、植物鉢の大きさに応じて、分割片同士をしっかりと固定できるある程度の弾性を有している材料であれば、他の材料を用いても良い。
【符号の説明】
【００７５】
１  鉢本体、
４  胴部、
５  底板部、
６  取手部分、
７  外向フランジ部、
８  起立壁部、
１０  外周面、
１３  分割線、
１４  第１の分割片、
１５  第２の分割片、
１６  突合せ面、
１７  嵌合部、
１８ａ、１８ｂ、１８ｃ、１８ｄ  合わせ面、
４０ａ、４０ｂ、４０ｃ  固定具、
４１ａ、４１ｂ、４１ｃ、４１ｄ  掛止部、
４３ａ、４３ｂ、４３ｃ、４３ｄ  掛止具、
４４  凸部、
４５  凹部、
５２、５４  分割片、
６０  水槽、
６５ａ〜６５ｆ  仕切。
【図１】
2011024463.tif 000003
【図２】
2011024463.tif 000004
【図３】
2011024463.tif 000005
【図４】
2011024463.tif 000006
【図５Ａ】
2011024463.tif 000007
【図５Ｂ】
2011024463.tif 000008
【図６Ａ】
2011024463.tif 000009
【図６Ｂ】
2011024463.tif 000010
【図７】
2011024463.tif 000011
【図８】
2011024463.tif 000012
【図９】
2011024463.tif 000013